(57)【要約】指向性音源の使用、治療ステーションおよび治療室本発明は、指向性音源の使用、治療ステーションおよび治療室に関し、その治療室において、それぞれの治療ステーションはそれに割り当てられた指向性音源を有する。【選択図】図１
2010515494.tif 000002
【特許請求の範囲】
【請求項１】
患者が長時間を過ごす治療ステーション（２、３、４、２０２、２０３、２０４）に関連してメディア装置の組合せの一部とした指向性音源（５、６、７、２０５、２０６、２０７）の使用。
【請求項２】
請求項１に記載の使用であって、
前記治療ステーション（２、３、４、２０２、２０３、２０４）は、透析装置ステーションであることを特徴とする使用。
【請求項３】
請求項１または２のいずれか１項に記載の使用であって、
情報／娯楽の個人用ジャンルは、前記指向性音源（５、６、７、２０５、２０６、２０７）を介して前記患者に供給されることを特徴とする使用。
【請求項４】
治療の間長時間患者が座る、または横たわる座席および／またはベッドから構成される治療ステーション（２、３、４、２０２、２０３、２０４）であって、前記治療ステーション（２、３、４、２０２、２０３、２０４）に割り当てられた音源を含むメディア装置の組合せを備え、前記メディア装置の組合せのための前記音源（５、６、７、２０５、２０６、２０７）は前記治療ステーション（２、３、４、２０２、２０３、２０４）に個々に割り当て可能であり、
前記音源（５、６、７、２０５、２０６、２０７）の割り当ては、少なくとも一つの指向性音源（５、６、７、２０５、２０６、２０７）によって達成されることを特徴とする治療ステーション。
【請求項５】
請求項４に記載の治療ステーションであって、
前記治療ステーション（２、３、４、２０２、２０３、２０４）は透析装置ステーションであることを特徴とする治療ステーション。
【請求項６】
請求項４または５に記載の治療ステーションであって、
情報／娯楽の個人用ジャンルは、前記指向性音源（５、６、７、２０５、２０６、２０７）を介して前記患者に提供できることを特徴とする治療ステーション。
【請求項７】
治療室であって、
前記治療室（１、２０１）は、請求項４乃至６のいずれか１項に記載の複数の治療ステーション（２、３、４、２０２、２０３、２０４）を備えることを特徴とする治療室。
【発明の詳細な説明】
【技術分野】
【０００１】
本発明は、指向性音源の使用、治療ステーションおよび治療室に関する。
【背景技術】
【０００２】
現在、娯楽および／または情報のような音響データは、患者に装着されたヘッドホンを介して、ある治療ステーションで長時間を過ごす患者に送信される。これらのヘッドホンは、対象とする特定の患者に割り当てられた装置（例えばＭＰ３プレーヤ、携帯型ＣＤプレーヤ等）に接続されていてよい。または、ヘッドホンは、例えば赤外線を介して集中型装置から対象とするヘッドホンへ送信される情報によって、集中型装置に結合されていてよい。
【０００３】
特に、何人かの患者が１つの病室にいる状況において、全員が同じプログラムを聞きたいのでない場合、患者はヘッドホンを装着しなければならない。多くの患者にとって、ヘッドホンを装着することは快適でない。
【発明の概要】
【課題を解決するための手段】
【０００４】
この問題を解決するために、本発明において、メディア装置の組合せの一部として、患者が治療ステーションで長時間を過ごす場合、その患者の治療ステーションに関連して指向性音源を用いることが示唆される。
【０００５】
これは、例えば化学治療の場合、例えば透析治療、または比較的遅い輸液の場合であってよい。
【０００６】
患者のための利点は、ヘッドホンを装着することを必要とせずに、隣の患者を邪魔することなく、また隣の患者に邪魔されることもなく個々のプログラムを聞くことができることである。プログラムは、音声プログラムでも、フィルム・サウンドトラックであってもよい。
【０００７】
ヘッドホンを装着する必要がないことは、これが患者にとってより快適である限り有利である。また、治療の間少なくとも患者に接続される管およびリード線に加えて別途必要となるヘッドホンのリード線は余分なものである。
【０００８】
大きな病室に一緒に何人かの患者を収容することは、医療的ケアおよび治療モニタリングに関して利点がある。患者をお互いに音響的に分離すること、すなわち患者を別々の部屋にすることは、医学的理由から適当でない。これは、例えば、個々の患者のベッドが収容される部屋の音響分離を、更に有利にする。
【０００９】
指向性音源は、既に公知である。これに関連して、米国特許出願公開２００１／０００７５９１号公報につき述べる。ここでは、超音波が搬送波として使われ、そして、音響信号の送信のために適切に変調される。この技術の説明のために、この公報を明確に参照する。
【００１０】
この種類の音源は、例えば、Ｈｏｌｏｓｏｎｉｃ  Ｒｅｓｅａｒｃｈ  Ｌａｂｓ社から調達できる。
【００１１】
請求項２に記載の実施形態において、治療ステーションは、透析装置ステーションである。これは、特に、ヘモ透析装置ステーションであってよい。
【００１２】
患者は、数時間続く治療の間、気持ちよく自分自身の個々のプログラムを聞くことが可能であり、これはこの発明の利点である。この治療は、患者の健康状態に応じて、最高週３回行う必要がある。
【００１３】
請求項３に記載の実施形態において、情報／娯楽の個人用ジャンルは、指向性音源を介して患者に提供される。
【００１４】
医学データに加えて、彼／彼女は何を聞く、または見るのが好みであるかに関する患者の特定の習慣を、例えば患者カード、または患者ファイルに、格納できる。例えば、クラシック音楽は、その後、いかなる個々の治療の間に患者にそれを特に選択させることなく、演奏できる。
【００１５】
請求項４は、治療の間長時間患者が座る、または横たわる座席および／またはベッドから構成される治療ステーションに関し、ここにおいて、治療ステーションに割り当てられたメディア装置の組合せ、治療ステーションに個々に割り当て可能なメディア装置の組合せからの音響出力、およびステーションまで少なくとも一つの指向性音源によって割り当てられる音響出力を有する。
【００１６】
この構成の利点は、請求項１に関連して既に述べた利点と同等である。
【００１７】
請求項５に記載の実施形態において、治療ステーションは、透析装置ステーションである。
【００１８】
対応する利点は、請求項２に関連して既に述べた通りである。
【００１９】
請求項６に記載の実施形態において、情報／娯楽の個人用ジャンルは、指向性音源を介して患者に提供されてよい。
【００２０】
利点は、請求項３に関連して既に述べた通りである。
【００２１】
請求項７は、治療室に関し、複数の既に述べた本発明に基づく治療ステーションを特徴とする。
【００２２】
患者が相互に邪魔されないので、放射音の空間的な制限は、特にこの場合有益である。
【００２３】
本発明の範囲内で、メディア装置の組合せは、音源の他に、情報および／または娯楽を提供するための基本ユニットを含んでよい。この基本ユニットは、例えば、音および／または画像記憶媒体のための再生装置、またはケーブルで送信される信号または無線で送信される信号を受信する受信機であってよい。メディア装置の組合せは、情報または娯楽の視覚的表現のための表示ユニットを含んでよい。この表示ユニットは、陰極線管でよく、また、表示装置であってもよい。
【００２４】
患者のためのベッドまたは座席に加えて、この発明に基づく治療ステーションは、治療用機器を特徴としてもよい。この治療用機器は、例えば、血液治療装置または輸液装置を含んでよい。血液治療装置は、具体的に、ヘモ透析装置であってよい。患者がステーションに拘束される間の時間、すなわち治療の時間が、楽しくされ、その結果我慢し易くなることは、この発明の格別の効果である。
【００２５】
図面は、本発明の実施形態を示す。図１は、治療室に関する第１の実施形態を示す。そこにおいて、治療ステーションは星形に配置される。図２は、治療室に関する他の実施形態を示す。そこにおいて、治療ステーションはお互いに平行して配置される。
【００２６】
図１は、治療室１に関する第１の実施形態を示す。そこにおいて、治療ステーション２、３および４は星形に配置される。
【００２７】
治療ステーション２、３および４のそれぞれは、サウンドコーンのうちの１つが治療ステーションの各々に割り当てられるような放射特性８、９および１０を有する、各治療ステーションに割り当てられた音源５、６および７を備える。これは、音の伝播のコーンに対する横方向の拘束によって達成できる。音源は、例えば、天井に取り付けられてよい。
【００２８】
実施に関して、最初に記載した先行技術を参照する。
【００２９】
図２は、治療ステーション２０２、２０３および２０４が側壁に沿ってお互い並行に配置された治療室２０１に関する他の実施形態を示す。ここで、音源２０５、２０６および２０７は、同様に天井に取り付けられるレールに取り付けられてよい。ここでも、音源２０５、２０６および２０７の各々の放射特性２０８、２０９および２１０は可視であり、治療ステーション２０２、２０３および２０４に割り当てられると共に個人的な知覚を可能にしている。
【図１】
2010515494.tif 000003
【図２】
2010515494.tif 000004
【国際調査報告】
2010515494.tif 000005
2010515494.tif 000006
2010515494.tif 000007
2010515494.tif 000008
2010515494.tif 000009
2010515494.tif 000010